(57)【要約】      （修正有）【課題】狩猟者の安全性を向上できるロープ固定補助具を提供すること。【解決手段】野生動物の足を捕縛する罠ロープ３２を先端に結合した延長ロープ３５が、地面に固定された構造物３７に繋がれる。突出部２１は杭と反対の方向へ突出する。捕縛された野性動物が暴れたりして延長ロープが突出部を越えると、延長ロープは突出部に絡まる。その結果、野生動物が逆方向に回り出しても、巻かれた延長ロープが解けないようにできる。捕縛された野生動物の行動半径を小さくできるので、狩猟者の安全性を向上できる。【選択図】図２
2017131157.tif 000002
【特許請求の範囲】
【請求項１】
地面に固定された構造物に押し当てられる押し当て部と、
地面に打ち込まれる杭と、
その杭の頭部側と前記押し当て部とを互いに距離を隔てて結合する結合部と、
その結合部または前記杭に第１端が結合され第２端が前記杭の先端側と反対の方向へ突出する突出部とを備え、
前記構造物は、野生動物の足を捕縛する罠ロープを先端に結合した延長ロープの根本が繋がれることを特徴とするロープ固定補助具。
【請求項２】
前記突出部は、前記第２端側が前記押し当て部へ向かって傾斜する傾斜部を備えていることを特徴とする請求項１記載のロープ固定補助具。
【請求項３】
前記突出部は、前記傾斜部から前記結合部へ向けて突出する返しを備えていることを特徴とする請求項２記載のロープ固定補助具。
【請求項４】
前記押し当て部側の前記結合部または前記押し当て部に第１端が結合され第２端が前記突出部へ向けて張り出す張出部を備え、
前記張出部は、前記第２端が、前記突出部の前記第２端と距離を隔てて配置され、
前記突出部の前記第１端から前記張出部の前記第２端までの前記杭の軸方向における距離は、前記突出部の前記第１端から前記突出部の前記第２端までの前記杭の軸方向における距離より大きく設定されることを特徴とする請求項１から３のいずれかに記載のロープ固定補助具。
【発明の詳細な説明】
【技術分野】
【０００１】
本発明は、イノシシやシカ等の野生動物の足を捕縛する罠ロープを繋ぐロープ固定補助具に関するものである。
【背景技術】
【０００２】
近年、山間部近郊においてイノシシ、シカ等の野生動物による農作物の被害が深刻化している。被害を防ぐため、野生動物を捕獲する捕獲器が提案されている（特許文献１）。特許文献１に開示される捕獲器は、くくり罠と称するものである。くくり罠は、輪を縮径する方向にばね部材で付勢した罠ロープと、ばね部材の弾力に抗して罠ロープを広げた状態に維持する維持装置と、維持装置を解除してばね部材の弾力で罠ロープを縮径する解除装置とを備えている。罠ロープは野生動物の通り道に配置され、罠ロープを先端に結合した延長ロープは、立木や杭等の構造物に根本が繋がれる。野生動物が罠ロープに踏み込むと解除装置が起動し、ばね部材の弾力で罠ロープが縮径し、野生動物の足を捕縛する。罠ロープに足が捕縛された野生動物は、延長ロープを介して立木や杭等の構造物に繋がれた状態で捕獲される。
【先行技術文献】
【特許文献】
【０００３】
【特許文献１】特開２０００−１０６８０８号公報
【発明の概要】
【発明が解決しようとする課題】
【０００４】
しかしながら上記従来の技術では、野生動物は足が捕縛されているとはいえ、立木や杭等の構造物を中心として延長ロープを半径とする範囲を行動できるので、捕縛された野生動物が、止め刺し等を行うために近づいた狩猟者に助走をつけて突進するおそれがある。
【０００５】
本発明は上述した問題点を解決するためになされたものであり、狩猟者の安全性を向上できるロープ固定補助具を提供することを目的とする。
【課題を解決するための手段および発明の効果】
【０００６】
この目的を達成するために請求項１記載のロープ固定補助具によれば、地面に固定された構造物（立木や切株などの自然構造物、コンクリート柱や杭などの人工構造物）に押し当て部が押し当てられ、杭が地面に打ち込まれる。結合部は、杭の頭部側と押し当て部とを距離を隔てて結合し、突出部は、結合部または杭に第１端が結合され、第２端が杭の先端側と反対の方向へ突出する。構造物は、野生動物の足を捕縛する罠ロープを先端に結合した延長ロープの根本が繋がれる。
【０００７】
野生動物は、罠ロープに足を捕縛されると驚いて走り出すが、罠ロープを結合した延長ロープは構造物に繋がれているので、延長ロープに繋がれた状態で構造物の周りを回ることになる。ロープ固定補助具は突出部があるので、野生動物の運動に伴って、延長ロープは構造物および突出部の周りに根本から巻かれる。これにより野生動物の行動半径は小さくなる。しかし、野生動物が逆方向に回り出すと、巻かれた延長ロープは解かれてしまうので、野生動物の行動半径は再び広がる。
【０００８】
しかし、捕縛された野性動物が跳ねたり暴れたりして延長ロープが突出部を越えて突出部と構造物との間へ入ると、野生動物が逆方向に回り出しても、巻かれた延長ロープが突出部に絡んで解けないようにできる。その結果、絡んだ延長ロープの分だけ、野生動物の行動半径を小さくできる。野生動物の行動半径を小さくできれば、野生動物の助走距離を短くできるので、仮に野生動物が狩猟者に突進したとしても、狩猟者が受ける衝撃を小さくできる。よって、狩猟者の安全性を向上できる効果がある。
【０００９】
請求項２記載のロープ固定補助具によれば、突出部は、第２端側が押し当て部へ向かって傾斜する傾斜部により、ロープ固定補助具から離れる方向へ延長ロープが引っ張られると、ロープ固定補助具に巻かれた延長ロープに、傾斜部に沿って上昇する力が作用する。延長ロープが突出部を乗り越え易くできるので、請求項１の効果に加え、野生動物の行動半径を小さくし易くできる効果がある。
【００１０】
請求項３記載のロープ固定補助具によれば、突出部は、傾斜部から結合部へ向けて突出する返しを備えている。突出部の内側へ入った延長ロープを返しにより突出部の外側へ出にくくできる。よって、請求項３の効果に加え、突出部に絡んだ延長ロープが突出部から外れてしまうことを抑制できる効果がある。
【００１１】
請求項４記載のロープ固定補助具によれば、押し当て部側の結合部または押し当て部に第１端が結合される張出部は、第２端が、突出部へ向けて張り出し、突出部の第２端と距離を隔てて配置されるので、突出部に沿って上昇した延長ロープを突出部の内側へ落とし込むことができる。突出部の第１端から張出部の第２端までの杭の軸方向における距離は、突出部の第１端から突出部の第２端までの杭の軸方向における距離より大きく設定されるので、請求項１から３のいずれかの効果に加え、突出部を乗り越えて突出部と結合部との間に入った延長ロープを、突出部の外へ出にくくできる効果がある。
【図面の簡単な説明】
【００１２】
【図１】（ａ）は本発明の第１実施の形態におけるロープ固定補助具の側面図であり、（ｂ）はロープ固定補助具の平面図である。
【図２】ロープ固定補助具を用いた動物用わなの斜視図である。
【図３】（ａ）は構造物の周りに延長ロープが一方向に巻かれたときの動物用わなの模式的な平面図であり、（ｂ）は突出部の間に延長ロープが入ったときの模式的な動物用わなの平面図であり、（ｃ）は延長ロープが逆方向に引っ張られたときの模式的な動物用わなの平面図である。
【図４】（ａ）は第２実施の形態におけるロープ固定補助具の側面図であり、（ｂ）は第３実施の形態におけるロープ固定補助具の側面図である。
【発明を実施するための形態】
【００１３】
以下、本発明の好ましい実施の形態について添付図面を参照して説明する。まず、図１（ａ）及び図１（ｂ）を参照してロープ固定補助具１０の構成について説明する。図１（ａ）は本発明の第１実施の形態におけるロープ固定補助具１０の側面図であり、図１（ｂ）はロープ固定補助具１０の平面図である。図１（ａ）に示すようにロープ固定補助具１０は、杭１１と、杭１１と押し当て部１７とを結合する結合部１４と、結合部１４の押し当て部１７側に結合する張出部１８と、杭１１及び結合部１４から突出する突出部２１とを備えている。杭１１は、ロープ固定補助具１０を地面に固定するために、頭部１２が叩かれて先端１３が地面に打ち込まれる部材である。本実施の形態では、杭１１は断面Ｙ字状の鋼製の部材である。
【００１４】
結合部１４は、基部１５が杭１１の頭部１２側に結合される棒状の部材であり、本実施の形態では鋼製の丸棒により直線状に形成されている。結合部１４は、杭１１から離れるにつれて先端１６が杭１１の先端１３と反対の方向へ向かう傾斜状となるように、杭１１に基部１５が溶接により接合されている。
【００１５】
押し当て部１７は、立木などの構造物３７（後述する）に押し当てられる部位であり、結合部１４の略９０°に屈曲した先端１６の上部（屈曲した部分を越えた位置）に結合されている。図１（ｂ）に示すように本実施の形態では、押し当て部１７はＶ字状の鈍角曲げにより形成された鋼製の丸棒であり、結合部１４と反対の方向へ向けて両端が配置されるように、結合部１４の先端１６に中央が溶接により接合されている。
【００１６】
張出部１８は、結合部１４の先端１６に第１端１９が結合し、第２端２０が結合部１４の基部１５の方へ向かって延びる棒状の部材である。本実施の形態では、張出部１８は鋼製の丸棒により形成されており、一本の丸棒を略９０°の角度に屈曲することにより、結合部１４と一体に形成されている。張出部１８は、第２端２０が、杭１１の頭部１２と先端１３とを通過する直線に対して略９０°となるように屈曲されている。金属製の棒材の屈曲によって結合部１４と張出部１８とを一体に形成するので、ロープ固定補助具１０の製造工程において結合部１４と張出部１８とを接合するための溶接等の作業を少なくすることができる。
【００１７】
突出部２１は、第１端２２が杭１１及び結合部１４に結合される棒状の部材である。突出部２１は、杭１１の頭部１２側および結合部１４の基部１５に第１端２２が結合され、第２端２３が杭１１の先端１３と反対の方向へ向かって突出する。本実施の形態では、突出部２１は鋼製の丸棒により形成されており、溶接により第１端２２が杭１１及び結合部１４に接合されている。突出部２１は、第１端２２から第２端２３までの杭１１の軸方向（図１（ａ）上下方向）における距離が、突出部１０の第１端２２から結合部１４の先端１６までの杭１１の軸方向における距離より大きく設定されている。
【００１８】
突出部２１は、杭１１の軸方向（図１（ａ）上下方向）において、第２端２３が、結合部１４の先端１６に対して杭１１の先端１３側と反対の方向に位置し、張出部１０の第２端２０に対して杭１１の先端１３側に位置する。換言すれば、張出部１０は、第２端２０が、突出部２１の第２端２３と距離を隔てて配置され、突出部２１の第１端２２から張出部１８の第２端２０までの杭１１の軸方向（図１（ａ）上下方向）における距離は、突出部１０の第１端２２から突出部１０の第２端２３までの杭１１の軸方向における距離より大きく設定されている。突出部２１は、第２端２３と張出部１８との間隔が、少なくとも延長ロープ３５（後述する）の直径（太さ）より大きく設定されている。
【００１９】
突出部２１は、結合部１４及び張出部１８と共に、杭１１の軸方向（図１（ｂ）紙面垂直方向）と平行な同一平面上に配置される（図１（ｂ）参照）。また、突出部２１は、杭１１の軸方向（図１（ａ）上下方向）において、張出部１８の第２端２０より結合部１４側（杭１１の先端１３側）に位置する。突出部２１は、第２端２３側が押し当て部１７へ向かって直線状に傾斜する傾斜部２４と、傾斜部２４から結合部１４へ向けて突出する鉤形の返し２５を備えている。突出部２１は、返し２５と張出部１８との間隔も、延長ロープ３５（後述する）の直径（太さ）より大きく設定されている。
【００２０】
次に図２を参照してロープ固定補助具１０の使用方法について説明する。図２はロープ固定補助具１０を用いた動物用わな３０の斜視図である。図２では地面に打ち込まれた杭１１の図示が省略されており、捕獲器３１が模式的に図示されている。ロープ固定補助具１０は、イノシシ、シカ、クマ、イタチ、キツネ、タヌキ等の野生動物を捕獲するために山間部近郊などに設置される捕獲器３１を繋いで動物用わな３０を作るための道具である。
【００２１】
ロープ固定補助具１０は、立木や切株などの構造物３７の外周面に押し当て部１７を当てた状態で、構造物３７の周囲の地面に杭１１を打ち込むことで固定される。杭１１は頭部１２が露呈した状態で結合部１４及び突出部２１が接合されているので、頭部１２を強く叩いて杭１１を地面に打ち込むことができる。ロープ固定補助具１０は、構造物３７の周囲の複数箇所（本実施の形態では４か所）に、構造物３７の周方向に間隔をあけて固定される。
【００２２】
ロープ固定補助具１０は杭１１があるので、ロープ固定補助具１０を地面に固定する作業を簡易に行うことができる。杭１１は断面Ｙ字状に形成されているので、地面に打ち込まれた杭１１が不安定にぐらつくことを防ぎ、ロープ固定補助具１０を地面にしっかり固定できる。杭１１は、結合部１４によって押し当て部１７と距離を隔てて配置されているので、構造物３７から離れたところへ杭１１を打ち込むことができる。よって、地面に打ち込まれた杭１１が構造物３７（立木や切株）の根を傷めることを防止できる。
【００２３】
結合部１４は、押し当て部１７が結合する先端１６から基部１５へ向けて下降傾斜しているので、構造物３７付近の障害物（例えば、地面から露出した石等の出っ張りや、構造物３７（立木や切株）の地面に露出した根など）に結合部１４（特に先端１６側）が干渉することを防ぎ、杭１１を深く打ち込むことができる。ロープ固定補助具１０は、結合部１４、押し当て部１７、張出部１８及び突出部２１が鋼製の棒材により形成されているので、軽量にすることができる。よって、ロープ固定補助具１０を山間部近郊などに運んで動物用わな３０を設置する労力を軽減できる。
【００２４】
押し当て部１７は構造物３７に当たる面が鈍角に形成されているので、構造物３７の太さに関わらず、押し当て部１７の先端を構造物３７に突き当てることなく、押し当て部１７の複数箇所を構造物３７の外周面に当てることができる。よって、押し当て部１７と構造物３７との接触面積を確保し、構造物３７の外周面に押し当て部１７を押し当てたロープ固定補助具１０がぐらつかないようにできる。
【００２５】
杭１１が地面に打ち込まれたロープ固定補助具１０は、構造物３７の周りに巻き付けたロープやゴム製のバンド等の紐状ないしは帯状の固定部材３６によって固定される。固定部材３６は、結合部１４の先端１６の屈曲した部分と構造物３７とに巻き付けられる。固定部材３６によって結合部１４が構造物３７から離れないようにできるので、地面に打ち込まれた杭１１が不安定にぐらつくことを防ぎ、ロープ固定補助具１０を地面にしっかり固定できる。
【００２６】
結合部１４に対して両側に開いた押し当て部１７と結合部１４との間に固定部材３６を通すことができるので、押し当て部１７によって、構造物３７の周りに巻き付けた固定部材３６が上にずれて抜けてしまうことを防止できる。また、張出部１８の第１端１９（押し当て部１７より上の部分）と構造物３７とに固定部材３６を巻き付けることもできる。張出部１８は第２端２０が杭１１側に向けて張り出しているので、張出部１８によって、構造物３７の周りに巻き付けた固定部材３６が上に抜けてしまうことを防止できる。
【００２７】
構造物３７の周りに固定されたロープ固定補助具１０は、猿環（図示せず）を介して捕獲器３１が先端に接続された延長ロープ３５の根本が繋がれる。延長ロープ３５は、結合部１４と突出部２１との間を通って構造物３７の周りに巻き付けられ固定される。ロープ固定補助具１０は、突出部２１によって延長ロープ３５を絡ませるための部材である。複数のロープ固定補助具１０は、構造物３７に巻き付けられた延長ロープ３５を結合部１４の上に支持する。延長ロープ３５は、構造物３７の周りにきつく縛れば結合部１４の先端１６近くに位置し、少し緩みをもたせれば結合部１４の先端１６から基部１５までの間に位置する。
【００２８】
捕獲器３１は、野生動物を捕獲する罠（所謂くくり罠）であり、特許文献１等に開示されており広く知られている。捕獲器３１は、ループを縮径する方向にばね部材（図示せず）で付勢されるループ状の罠ロープ３２と、ばね部材の弾力に抗して罠ロープ３２を広げた状態に維持する維持装置３３と、維持装置３３を解除してばね部材の弾力で罠ロープ３２のループを縮径する解除装置３４とを備えている。延長ロープ３５に結合された罠ロープ３２は野生動物の通り道に設置され、解除装置３４は罠ロープ３２の中に配置される。
【００２９】
図１に戻って説明する。結合部１４は、杭１１に直交する直線Ｌ（杭１１の軸直角方向に延びる直線）に対する傾斜角θ１が、直線Ｌに対する傾斜部２４の傾斜角θ２より小さい角度に設定されている。傾斜角θ１は０°以上４５°未満、好ましくは１０°以上４５°未満に設定されるのが良い。結合部１４を地面に干渉させ難くして杭１１を地面に打ち込み易くするためである。特に傾斜角θ１が１０°以上であると、岩等の出っ張りや根との干渉を防ぎ、杭１１を深く打ち込むことができる。
【００３０】
傾斜角θ２は、結合部１４の傾斜角θ１にもよるが、５０°以上９０°未満に設定されるのが好ましい。傾斜角θ２が９０°未満であると、傾斜部２４に巻きついた延長ロープ３５を傾斜部３１の傾きに沿って滑らせ、傾斜部３１を乗り越えさせて、結合部１４と突出部２１との間に進入させ易くすることができる。傾斜角θ２が５０°以上であると、傾斜部２４に延長ロープ３５を絡ませ易くすることができる。
【００３１】
傾斜部２４の傾斜角θ２にもよるが、結合部１４と傾斜部２４との間に延長ロープ３５を進入させ易くするため、結合部１４に対する傾斜部２４の傾斜角（θ２−θ１）は１０°以上７０°未満に設定されるのが好ましい。結合部１４に対する傾斜部２４の傾斜角が１０°未満であると、結合部１４と突出部２１との隙間が狭くなるので、結合部１４と突出部２１との間に延長ロープ３５が進入し難くなる傾向がみられる。結合部１４に対する傾斜部２４の傾斜角が７０°以上であると、傾斜部２４が杭１１に対して平行に近づくので、延長ロープ３５が傾斜部２４を乗り越え難くなる傾向がみられる。
【００３２】
張出部１８は、直線Ｌに対する傾斜角θ３が４０°以上９０°未満、好ましくは５０°以上８０°未満に設定されるのが良い。傾斜角θ３を９０°未満、好ましくは８０°未満とすることにより、構造物３７の周りに巻き付けられた延長ロープ３５を上にずれ難くできる。傾斜角θ３を４０°以上、好ましくは５０°以上とすることにより、張出部２８が突出部２３と交錯することを防ぎ、突出部２３の長さを確保できる。
【００３３】
図２、図３（ａ）、図３（ｂ）及び図３（ｃ）を参照して動物用わな３０の動作について説明する。野生動物が罠ロープ３２に足を踏み込み、解除装置３４が起動して維持装置３３を解除すると、ばね部材（図示せず）の弾力で罠ロープ３２が引っ張られ、罠ロープ３２が縮径して野生動物の足を捕縛する。野生動物は罠ロープ３２に足を捕縛されると驚いて走り出すが、罠ロープ３２を結合した延長ロープ３５は結合部１４と突出部２１との間に繋がれているので、野生動物は延長ロープ３５に繋がれた状態でロープ固定補助具１０及び構造物３７の周りを回ることになる。
【００３４】
図３（ａ）に示すように、動物用わな３０は構造物３７の周囲に突出部２１が配置されているので、構造物３７の周りを野生動物が一方向（図３（ａ）反時計回り）に回ることによって、延長ロープ３５は突出部２１の外側に根本から巻かれていく。特に、突出部２１は、第１端２２から第２端２３までの杭１１の軸方向（図１（ａ）上下方向）における距離が、突出部１０の第１端２２から結合部１４の先端１６までの杭１１の軸方向における距離より大きく設定されているので、結合部１４に支持された延長ロープ３５が確実に突出部２１の外側を取り囲む。延長ロープ３５が突出部２１の外側に巻かれることで、罠ロープ３２に捕縛された野生動物の行動半径（構造物３７を中心とする延長ロープ３５の長さ）は小さくなる。ところが、野生動物が逆方向（図３（ａ）時計回り）に回り出すと、突出部２１に巻かれた延長ロープ３５は解けてしまうので、野生動物の行動半径は再び広がる。
【００３５】
しかし、捕縛された野性動物が暴れて延長ロープ３５が上下に波打つと、図３（ｂ）に示すように、延長ロープ３５は突出部２１を乗り越えて突出部２１の内側へ入ることがある。特に、突出部２１は結合部１４の先端１６側へ向かうにつれて鉛直方向へ上昇傾斜する傾斜部２４（図１（ａ）参照）が設けられているので、構造物３７から離れる方向へ延長ロープ３５が引っ張られると、突出部２１に巻かれた延長ロープ３５に、傾斜部２４に沿って上昇する力が作用する。突出部２１は第２端２３が張出部１８と離間し、その間隔が、少なくとも延長ロープ３５の直径より大きいので、傾斜部２４の傾斜に沿って上昇した延長ロープ３５は突出部２１を乗り越える。
【００３６】
延長ロープ３５が突出部２１を乗り越えて突出部２１の内側へ入った後は、図３（ｃ）に示すように、野生動物が逆方向（図３（ｃ）時計回り）に回り出すと延長ロープ３５を突出部２１に絡ませることができる。延長ロープ３５を突出部２１に絡めることで、ロープ固定補助具１０に巻かれた延長ロープ３５の根本側の一定量は解けないようにできる。ロープ固定補助具１０から引き出される延長ロープ３５の長さを短くできるので、野生動物の行動半径を小さくできる。野生動物が構造物３７の周りを回る方向を変えて延長ロープ３５が突出部２１に絡まる度に、ロープ固定補助具１０から引き出される延長ロープ３５の長さを短くできる。
【００３７】
延長ロープ３５を突出部２１に絡めて構造物３７に繋がれた野生動物の行動半径を小さくできれば、止め刺し等のために野生動物に近づいた狩猟者へ向かって突進しようとする野生動物の助走距離を短くできる。助走距離が短ければ、仮に野生動物が狩猟者に突進したとしても、狩猟者が受ける衝撃を小さくできるので、狩猟者の安全性を向上できる。
【００３８】
なお、突出部２１は、構造物３７の周囲に複数（本実施の形態では４本）が断続的に配置されているので、構造物３７の周囲に突出部２１が１本だけ配置されている場合と比較して、突出部２１の数が多い分だけ、延長ロープ３５が突出部２１を乗り越える確率を上げることができる。突出部２１の数を増やすことで、延長ロープ３５を突出部２１に絡み易くすることができる。
【００３９】
突出部２１は、第２端２３が結合部１４へ近づくように傾斜部２４が結合部１４へ向けて傾いているので、結合部１４と突出部２１との間に入った延長ロープ３５が、再び突出部２１を乗り越えてしまうことを抑制できる。傾斜部２４により、突出部２１への延長ロープ３５の絡まりが解消されてしまうことを抑制し、野生動物の行動半径を小さくできない不具合が生じることを抑制できる。
【００４０】
突出部２１は、傾斜部２４から結合部１４へ向けて斜め下方に突出する返し２５が第２端２３に設けられているので、突出部２１の内側へ入った延長ロープ３５を突出部２１の外側へさらに出にくくできる。よって、結合部１４と突出部２１との間に入った延長ロープ３５が、突出部２１を乗り越えて突出部２１の外に出てしまうことを防ぐ効果を増長できる。
【００４１】
張出部１８は、第２端２０が、突出部２１の第２端２３と距離を隔てて配置され、突出部２１の第１端２２から張出部１８の第２端２０までの杭１１の軸方向（図１（ａ）上下方向）における距離は、突出部１０の第１端２２から突出部１０の第２端２３までの杭１１の軸方向における距離より大きく設定されている。よって、突出部２１を乗り越えた延長ロープ３５を、張出部１８で案内して結合部１４と突出部２１との間に落とし込むことができる。
【００４２】
張出部１８は突出部２１と同一平面上に形成されており、張出部１８の第２端２０は、突出部２１の第２端２３に対して上方（杭１１の軸方向）へせり出している。これにより、結合部１４と突出部２１との間に入った延長ロープ３５を、張出部１８（第２端２０）が邪魔をして、突出部２１の外側へ抜け出し難くできる。また、突出部２１の上に張出部１８の第２端２０がせり出すので、罠ロープ３２に捕縛された野生動物の脚を張出部１８と突出部２１との隙間に入り込み難くすることができ、隙間に入り込んだ野生動物（特にシカ等）の脚の骨折を防止できる。
【００４３】
張出部１８は突出部２１へ向かって張り出しているので、張出部１８により、構造物３７に巻き付けられて結合部１４に支持された延長ロープ３５が上へ抜けてしまうことを防止できる。その結果、背の高い立木を構造物３７として使うだけでなく、押し当て部１７を押し当てることができるだけの背丈があれば、比較的背の低い切株を構造物３７として使うことができる。従って、場所を選ばずに動物用わな３０を設置できる。
【００４４】
次に図４（ａ）を参照して第２実施の形態について説明する。第１実施の形態では、結合部１４と張出部１８とが一体に成形されたロープ固定補助具１０について説明した。これに対し第２実施の形態では、結合部４４と張出部４８とが溶接により接合されたロープ固定補助具４０について説明する。なお、第１実施の形態で説明した部分と同一の部分については、同一の符号を付して以下の説明を省略する。図４（ａ）は第２実施の形態におけるロープ固定補助具４０の側面図である。
【００４５】
ロープ固定補助具４０は、杭４１と、杭４１と押し当て部１７とを結合する結合部４４と、押し当て部１７に接合される張出部４８と、杭４１から突出する突出部２１とを備えている。杭４１は頭部４２が板状に形成されており、先端４３が棒状に形成されている。結合部４４は、基部４５が杭４１の頭部１２に結合される棒状の部材であり、杭４１と直交するように配置されており、先端４６が杭４１の軸方向（図４（ａ）上下方向）の頭部１２側へ向かって屈曲している。押し当て部１７は、中心が先端４６に接合されている。張出部４８は、結合部４４の先端４６に押し当て部１７を介して第１端４９が結合し、第２端５０が杭４１の方へ向かって延びる棒状の部材である。張出部４８は、第２端５０が、突出部２１の第２端２３と距離を隔てて配置されている。
【００４６】
ロープ固定補助具４０は、第１実施の形態で説明したロープ固定補助具１０と同様に、構造物３７の周囲に固定して捕獲器３１を繋ぎ、動物用わなを作るために用いられる。ロープ固定補助具４０は、杭４１、結合部４４、押し当て部１７及び張出部４８を順に接合して製造できる。結合部４４及び突出部２１は杭４１にそれぞれ接合されているので、結合部４４及び突出部２１と杭４１とを接合する作業を簡易にできる。
【００４７】
次に図４（ｂ）を参照して第３実施の形態について説明する。第１実施の形態および第２実施の形態では、張出部１８，４８及びＶ字状に形成された押し当て部１７を備えるロープ固定補助具１０，４０について説明した。これに対し第３実施の形態では、張出部を省略し、形状の異なる押し当て部６６を備えるロープ固定補助具６０について説明する。なお、第１実施の形態で説明した部分と同一の部分については、同一の符号を付して以下の説明を省略する。図４（ｂ）は第３実施の形態におけるロープ固定補助具６０の側面図である。
【００４８】
ロープ固定補助具６０は、杭６１と、杭６１と押し当て部６５とを結合する結合部６４と、結合部６４から突出する突出部７１とを備えている。杭６１は頭部６２から先端６３にかけて棒状に形成された鋼製の部材である。結合部６４は、杭６１の頭部６２が中央に結合される棒状の鋼製の部材であり、杭６１と直交するように配置されている。結合部６４は、先端６６が、杭６１の軸方向（図４（ｂ）上下方向）の頭部６２側へ向かって屈曲し、基部に突出部７１の第１端７２が結合している。結合部６４は、先端６６が押し当て部を構成する。
【００４９】
突出部７１及び結合部６４は鋼製の棒材の屈曲によって一体に形成されているので、ロープ固定補助具６０の製造工程において、結合部６４と突出部７１とを接合する溶接等の作業を少なくすることができる。突出部７１は、結合部６４に第１端７２が結合され、第２端７３が杭６１の先端６３と反対の方向へ向かって突出する。突出部７１は、第２端７３側が結合部６４から離れるように直線状に傾斜する傾斜部７４と、傾斜部７４から結合部６４へ向けて突出する鉤形の返し６５を備えている。
【００５０】
ロープ固定補助具６０は、第１実施の形態で説明したロープ固定補助具１０と同様に、結合部６４の先端６６（押し当て部）を構造物３７の外周面に当て、構造物３７の周囲の地面に杭６１が打ち込まれて固定される。特に、構造部３７の外表面の凹み等に先端６６を嵌め込むようにすると、ロープ固定補助具６０をぐらつき難くできる。ロープ固定補助具６０は、張出部が省略されているので、杭６１を地面に打ち込むハンマーの振り下ろし動作を張出部に邪魔されないようにできる。
【００５１】
地面に杭６１が打ち込まれたロープ固定補助具６０は、結合部６４の先端６６に固定部材３６（図２参照）が巻かれ、構造物３７に固定される。捕獲器３１（図２参照）の延長ロープ３５は、結合部６４の上を通って結合部６４の先端６６の位置で構造物３７に巻き付けられて構造物３７に繋がれる。立木などの背の高い構造物３７に延長ロープ３５を繋ぐようにすれば、張出部が省略されたロープ固定補助具６０であっても、繋がれた延長ロープ３５が構造物３７から抜けてしまうことを防止できる。
【００５２】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、結合部１４，４４，６４や突出部２１，７１等の形状や大きさ等は一例であり、適宜設定できるものである。結合部１４，４４，６４を板材などによって形成することは当然可能である。
【００５３】
上記第１実施の形態では、構造物３７の周囲の４か所にロープ固定補助具１０を配置した動物用わな３０について説明したが、必ずしもこれに限られるものではなく、ロープ固定補助具１０の数は適宜設定できる。ロープ固定補助具１０は少なくとも１つ設置されていれば良い。但し、ロープ固定補助具１０は構造物３７の周囲に複数設置するのが好ましい。構造物３７の周りの突出部２１の数が多い程、延長ロープ３５が突出部２１に絡む確率を高められるからである。
【００５４】
上記各実施の形態では、押し当て部１７が棒状の部材によって形成される場合について説明したが、必ずしもこれに限られるものではなく、湾曲ないしは屈曲した板状の部材やゴム等の弾性部材によって押し当て部を形成することは当然可能である。ゴム等の弾性部材によって押し当て部を形成すれば、構造物３７の外表面に傷を付け難くできる。
【００５５】
上記各実施の形態では、突出部２１，７１が直線状の傾斜部２４，７４を備える場合について説明したが、必ずしもこれに限られるものではなく、傾斜部２４，７４を湾曲した曲線状にすることは当然可能である。傾斜部２４，７４が曲線状の場合にも、突出部２１，７１を延長ロープ３５が乗り越え易くできる。
【符号の説明】
【００５６】
１０，４０，６０  ロープ固定補助具
１１，４１，６１  杭
１２，４２，６２  頭部
１３，４３，６３  先端
１４，４４，６４  結合部
１７              押し当て部
１８，４８        張出部
１９，４９        第１端
２０，５０        第２端
２１，７１        突出部
２２，７２        第１端
２３，７３        第２端
２４，７４        傾斜部
２５，７５        返し
３１              捕獲器
３２              罠ロープ
３５              延長ロープ
３７              構造物
６６              先端（押し当て部）
【図１】
2017131157.tif 000003
【図２】
2017131157.tif 000004
【図３】
2017131157.tif 000005
【図４】
2017131157.tif 000006